(57)【要約】【課題】電子レンジでインスタントの麺類、特に焼きそば等の従来であれば湯切りが必要であった麺類を調理する際に、湯切りを行うことなく調理可能な電子レンジ用容器および電子レンジ用容器の使用方法を提供することを目的とする。【解決手段】底面に麺を収容するための麺収容部を設けた容器本体と、上記容器本体の内側に嵌め込んで上記麺収容部を塞ぐための蓋からなる電子レンジ用容器であって、上記麺収容部は略矩形の平面形状を有し、麺を収容可能な深さに形成し、上記蓋は底面に開口を設ける。【選択図】図１
2009196651.tif 000002
【特許請求の範囲】
【請求項１】
底面に麺を収容するための麺収容部を設けた容器本体と、上記容器本体の内側に嵌め込んで上記麺収容部を塞ぐための蓋からなる電子レンジ用容器であって、
上記麺収容部は略矩形の平面形状を有し、麺を収容可能な深さに形成され、
上記蓋は底面に開口を設けたことを特徴とする電子レンジ用容器。
【請求項２】
底面に麺を収容するための麺収容部を設けた容器本体と、上記容器本体の内側に嵌め込んで上記麺収容部を塞ぐための蓋からなり、上記麺収容部は略矩形の平面形状を有し、麺を収容可能な深さに形成され、上記蓋は底面に開口を設けた電子レンジ用容器の使用方法であって、
上記麺収容部に上記麺を入れ、上記容器本体に上記蓋をして上記麺収容部を塞ぎ、
上記蓋の上から水を入れ、上記開口を通して上記麺収容部に水が流れ所定量の水が上記麺収容部に入ったら、上記電子レンジ用容器を電子レンジに入れて上記水が全て無くなるまで上記電子レンジで加熱することを特徴とする電子レンジ用容器の使用方法。
【発明の詳細な説明】
【技術分野】
【０００１】
本発明は、電子レンジで麺類を調理するための電子レンジ用容器および電子レンジ用容器の使用方法に関し、特に従来であれば湯切りが必要であった麺を湯切りをすることなく調理することが可能な電子レンジ用容器および電子レンジ用容器の使用方法に関する。
【背景技術】
【０００２】
インスタントのラーメンや焼きそばとして、お湯を注いで麺をほぐして調理を行うものが多数販売されている。これらの麺類は、袋詰め、あるいは専用の容器に入れた状態で販売されており、その手軽さから、広く普及している。
【０００３】
また、電子レンジの普及に伴い、インスタント麺類の調理方法として、お湯を注ぐのではなく、水を注いで電子レンジで加熱して調理するための容器も用いられている。特に、焼きそば等の場合には湯切りが必要となり、それに対応するための容器も従来技術として考えられている（特許文献１を参照）。
【特許文献１】特開２００６−３４６６５号公報
【発明の開示】
【発明が解決しようとする課題】
【０００４】
しかし、焼きそばの場合、容器にお湯を注いで麺をほぐして調理する方法、あるいは、水を注いで電子レンジで加熱して調理する方法のどちらを用いても必ず湯切りを行う必要がある。湯切りを簡単に行うことができる容器もあるが、湯切り自体を省略することはできない。
【０００５】
そこで、本発明は、電子レンジでインスタントの麺類、特に焼きそば等の従来であれば湯切りが必要であった麺類を調理する際に、湯切りを行うことなく調理可能な電子レンジ用容器および電子レンジ用容器の使用方法を提供することを目的とする。
【課題を解決するための手段】
【０００６】
本発明の電子レンジ用容器は、底面に麺を収容するための麺収容部を設けた容器本体と、上記容器本体の内側に嵌め込んで上記麺収容部を塞ぐための蓋からなる電子レンジ用容器であって、上記麺収容部は略矩形の平面形状を有し、麺を収容可能な深さに形成され、上記蓋は底面に開口を設けたことを特徴とする。
【０００７】
本発明の電子レンジ用容器の使用方法は、底面に麺を収容するための麺収容部を設けた容器本体と、上記容器本体の内側に嵌め込んで上記麺収容部を塞ぐための蓋からなり、上記麺収容部は略矩形の平面形状を有し、麺を収容可能な深さに形成され、上記蓋は底面に開口を設けた電子レンジ用容器の使用方法であって、上記麺収容部に上記麺を入れ、上記容器本体に上記蓋をして上記麺収容部を塞ぎ、上記蓋の上から水を入れ、上記開口を通して上記麺収容部に水が流れ所定量の水が上記麺収容部に入ったら、上記電子レンジ用容器を電子レンジに入れて上記水が全て無くなるまで上記電子レンジで加熱することを特徴とする。
【発明の効果】
【０００８】
本発明の電子レンジ用容器は、底面に麺を収容するための麺収容部を設けた容器本体と、上記容器本体の内側に嵌め込んで上記麺収容部を塞ぐための蓋からなる電子レンジ用容器であって、上記麺収容部は矩形の平面形状を有し、麺を収容可能な深さに形成され、上記蓋は底面に開口を設けたことにより、焼きそば等の麺類を湯切りを行うことなく調理することが可能となる。
【０００９】
本発明の電子レンジ用容器の使用方法は、底面に麺を収容するための麺収容部を設けた容器本体と、上記容器本体の内側に嵌め込んで上記麺収容部を塞ぐための蓋からなり、上記麺収容部は矩形の平面形状を有し、麺を収容可能な深さに形成され、上記蓋は底面に開口を設けた電子レンジ用容器の使用方法であって、上記麺収容部に上記麺を入れ、上記容器本体に上記蓋をして上記麺収容部を塞ぎ、上記蓋の上から水を入れ、上記開口を通して上記麺収容部に水が流れ所定量の水が上記麺収容部に入ったら、上記電子レンジ用容器を電子レンジに入れて上記水が全て無くなるまで上記電子レンジで加熱することにより、少ない水で焼きそば等の麺を湯切りを行うことなく調理することが可能となる。
【発明を実施するための最良の形態】
【００１０】
本発明を、図を用いて以下に詳細に説明する。図１が本発明の電子レンジ用容器１の断面図であり、図２が平面図であり、図３が容器本体２と蓋４に分離した状態を示す断面図である。
【００１１】
本発明の電子レンジ用容器１は、焼きそば等を電子レンジで調理するための容器であって、図１に示すように、容器本体２と、上記容器本体２の内側に嵌めこむことができる蓋４から構成される。
【００１２】
上記容器本体２は、上部は一般的な容器と同じ平面が円形の器であり、その底面に麺６を収容するための麺収容部３を設けている。上記麺収容部３は一般的な上記麺６が入る大きさで、平面形状が矩形で、その深さは上記麺６の厚みより少し深い形状としている。
【００１３】
上記蓋４は、底面に開口５を設け、上記容器本体２の内側に嵌めこむことができる大きさに形成し、嵌めこんだ時に、上記容器本体２の麺収容部３に少し入って上記麺収容部３を塞ぐような形状としている。このような形状とすることにより、図１に示すように、上記容器本体２に上記蓋４をした時に、上記麺収容部３は上記蓋４に塞がれ、上記蓋４の下側に上記麺６を入れるスペースを形成する。
【００１４】
上記開口５は、上記蓋４に入れた水を上記麺収容部３に流すために設けており、また上記麺６を電子レンジで加熱中に蒸気を逃がす働きもする。
【００１５】
上記容器本体２は、図４に示すように、上部の平面形状は円形で、麺収容部３の平面形状を矩形としているが、上記容器本体２の上側の平面形状は、矩形とすることもでき、特に限定するものではない。ただし、上記麺収容部３は、一般的なインスタントの麺類が略矩形をしていることから、それに合わせた形状とする必要があり、略矩形としなければならない。そして、その大きさも、メーカー等によって大きさの異なる麺類を収容することができる大きさにすることが好ましい。
【００１６】
本発明の電子レンジ用容器１の材質については、特に限定するものではないが、電子レンジで使用するために、耐熱ＰＰを用いることが好ましい。また、本発明の電子レンジ用容器１は、繰り返し使用することもできるので、上述のような耐熱性を有するだけでなく所定の耐久性を有する材質を用いることが好ましい。
【００１７】
次に、本発明の電子レンジ用容器１の使用方法について図５，６を用いて説明する。
【００１８】
まず初めに、図５（ａ）に示すように、上記容器本体２の麺収容部３に麺６を入れる。そして、図５（ｂ）に示すように上記容器本体２に上記蓋４をする。この時、上記容器本体２の麺収容部３は上記蓋４の底に塞がれ、上記蓋４の下側に上記麺６が位置するようになる。
【００１９】
上記蓋４をした後に、上記蓋４の上から水を注ぐ。この時、図５（ｃ）に示すように、上記蓋４の内側に注がれた水は上記蓋４に設けた上記開口５から下に流れ上記容器本体２の麺収容部３に水が入っていく。水の量は、上記麺６が吸収することができる量とすることが好ましく、約１６０〜２００ｃｃの水を注ぐ。
【００２０】
こうして水を注ぎ、図６（ａ）に示すように、上記蓋４に注いだ全ての水が上記麺収容部３に入ったら、電子レンジに上記電子レンジ用容器１を入れ、所定の温度で所定の時間加熱する。この時、温度と時間を調整し、上記水が上記麺６に吸収される、あるいは蒸発して残らないようにする。
【００２１】
このようにして、電子レンジによる加熱が終わり、図６（ｂ）に示すように、全ての水が無くなって、上記麺６の調理が終わったら、上記電子レンジ用容器１を電子レンジから取り出し、上記蓋４を取り外し、図６（ｃ）に示すように、ソース８やかやく７等を入れると、上記麺６の調理が完了する。
【００２２】
このように、本発明の電子レンジ用容器１を用いれば、焼きそば等の麺類でも、湯切りを行うことなく簡単に調理することができる。
【図面の簡単な説明】
【００２３】
【図１】本発明の電子レンジ用容器の断面図である。各パーツを分離した状態である。
【図２】電子レンジ用容器の平面図である。
【図３】本発明の電子レンジ用容器の各パーツを分離した状態を示す断面図である。
【図４】容器本体の平面図である。
【図５】電子レンジ用容器の使用方法を示す断面図であり、（ａ）が容器本体の窪みに麺を入れた状態、（ｂ）が容器本体に蓋をした状態、（ｃ）蓋に入れた水が容器本体の窪みに流れていく様子を示す断面図である。
【図６】電子レンジ用容器の使用方法を示す断面図であり、（ａ）が電子レンジで加熱中の状態、（ｂ）が電子レンジで加熱が終了した状態、（ｃ）が電子レンジで加熱後、ソースとかやくを入れている状態を示す断面図である。
【符号の説明】
【００２４】
１      電子レンジ用容器
２      容器本体
３      麺収容部
４      蓋
５      開口
６      麺
７      かやく
８      ソース
【図１】
2009196651.tif 000003
【図２】
2009196651.tif 000004
【図３】
2009196651.tif 000005
【図４】
2009196651.tif 000006
【図５】
2009196651.tif 000007
【図６】
2009196651.tif 000008